(57)【要約】【課題】  マルチクロップコピーする場合、異なるサイズや異なる種別の原稿が混載されていても、制御や装置を複雑にせずに、ユーザにとって使い勝手のよい画像処理装置、画像処理装置の制御方法およびプログラムを提供することを目的とするものである。【解決手段】  原稿台上の複数の画像を切り出す切出手段と、上記切出手段によって切り出された複数の原稿を画像データとして記録する記録手段とを有する画像処理装置において、上記原稿台上の原稿に関する情報である原稿情報を検出する原稿情報検出手段と、上記記録手段で使用する記録紙に関する情報である記録紙情報を検出する記録紙情報手段と、上記原稿情報と上記記録紙情報とに応じて、上記原稿台上の原稿の読み取り順序を制御する読取順序制御手段とを有する画像処理装置である。【選択図】  図１
2007013378.tif 000002
【特許請求の範囲】
【請求項１】
原稿台上の複数の画像を切り出す切出手段と、上記切出手段によって切り出された複数の原稿を画像データとして記録する記録手段とを有する画像処理装置において、
上記原稿台上の原稿に関する情報である原稿情報を検出する原稿情報検出手段と；
上記記録手段で使用する記録紙に関する情報である記録紙情報を検出する記録紙情報手段と；
上記原稿情報と上記記録紙情報とに応じて、上記原稿台上の原稿の読み取り順序を制御する読取順序制御手段と；
を有することを特徴とする画像処理装置。
【請求項２】
請求項１において、
上記原稿情報は、原稿位置と原稿サイズとであり、
上記記録紙情報は、記録紙サイズであり、
上記検出された記録紙サイズと等しい原稿サイズの原稿を、上記記録手段によってまとめて記録することを特徴とする画像処理装置。
【請求項３】
請求項１において、
上記原稿情報は、原稿位置と原稿種別とであり、
上記記録紙情報は、記録紙種別であり、
上記検出された記録紙種別に応じた原稿種別の原稿を、上記記録手段によって記録することを特徴とする画像処理装置。
【請求項４】
請求項１において、
上記原稿情報は、原稿位置と原稿サイズと原稿種別とであり、
上記記録紙情報は、記録紙サイズと記録紙種別とであり、
上記検出された記録紙サイズと等しい原稿サイズであり、かつ、上記記録紙種別に応じた原稿種別の原稿を、上記記録手段によって記録することを特徴とする画像処理装置。
【請求項５】
原稿台上の複数の画像を切り出す切出手段と、上記切出手段によって切り出された複数の原稿を画像データとして記録する記録手段とを有する画像処理装置の制御方法において、
上記原稿台上の原稿に関する情報である原稿情報を検出する原稿情報検出工程と；
上記記録手段で使用する記録紙に関する情報である記録紙情報を検出する記録紙情報工程と；
上記原稿情報と上記記録紙情報とに応じて、上記原稿台上の原稿の読み取り順序を制御する読取順序制御工程と；
を有することを特徴とする画像処理装置の制御方法。
【請求項６】
請求項５において、
上記原稿情報は、原稿位置と原稿サイズとであり、
上記記録紙情報は、記録紙サイズであり、
上記検出された記録紙サイズと等しい原稿サイズの原稿を、上記記録手段によってまとめて記録することを特徴とする画像処理装置。
【請求項７】
請求項５において、
上記原稿情報は、原稿位置と原稿種別とであり、
上記記録紙情報は、記録紙種別であり、
上記検出された記録紙サイズと等しい原稿サイズの原稿を、上記記録手段によってまとめて記録することを特徴とする画像処理装置の制御方法。
【請求項８】
請求項５において、
上記原稿情報は、原稿位置と原稿サイズと原稿種別とであり、
上記記録紙情報は、記録紙サイズと記録紙種別とであり、
上記検出された記録紙種別に応じた原稿種別の原稿を、上記記録手段によって記録することを特徴とする画像処理装置の制御方法。
【請求項９】
原稿台上の複数の画像を切り出す切出手段と、上記切出手段によって切り出された複数の原稿を画像データとして記録する記録手段とを有する画像処理装置の制御プログラムにおいて、
上記原稿台上の原稿に関する情報である原稿情報を検出する原稿情報検出手順と；
上記記録手段で使用する記録紙に関する情報である記録紙情報を検出する記録紙情報手順と；
上記原稿情報と上記記録紙情報とに応じて、上記原稿台上の原稿の読み取り順序を制御する読取順序制御手順と；
を画像処理装置に実行させるプログラム。
【発明の詳細な説明】
【技術分野】
【０００１】
本発明は、画像処理装置、画像処理装置の制御方法およびプログラムに関する。
【背景技術】
【０００２】
近年、デジタルカメラやイメージスキャナ等のデジタル入力機器の普及や、インクジェットプリンタ等のデジタル出力機器の普及によって、パーソナルコンピュータ（以下「ＰＣ」という）を用いた画像処理を、一般ユーザでも実行することができる。
【０００３】
また、最近は、スキャナやプリンタが一体になっているマルチファンクションプリンタ（以下「ＭＦＰ」という）が普及し始め、ＰＣ等を使用せずに、写真のコピー等の画像処理を手軽に実行することができる。
【０００４】
上記ＭＦＰの中には、マルチクロップスキャンと呼ばれる機能を有するものが知られている（特許文献１参照）。
【０００５】
上記「マルチクロップスキャン」は、フラットベッド状の画像読取装置上に、写真等の小さな原稿を複数、枚並べ、１回操作することによって、上記小さな原稿を連続して読み取る機能であり、これによって、原稿読み取りにおけるユーザの操作性が向上する。
【０００６】
また、マルチクロップコピーも実現されている。この「マルチクロップコピー」は、上記マルチクロップスキャン機能を利用して行うコピーである。上記マルチクロップスキャン機能によって、ユーザは、写真原稿等を簡単に焼き増しプリントすることができる。
【０００７】
ここで、マルチクロップコピーについて簡単に説明する。
【０００８】
図５は、画像読取装置におけるフラットペットスキャナ上に配置されている原稿の例を示す模式図である。
【０００９】
ユーザは、図５に示すように、画像読取装置上に、たとえば原稿Ｄ１〜Ｄ４の４枚を並べる。次に、ユーザは、ＭＦＰの操作部を介して、マルチクロップコピーを指示すると、ＭＦＰは、まず、プレスキャンを行い、原稿Ｄ１〜Ｄ４の位置とサイズとを検出する。そして、原稿Ｄ１を本スキャンし、適切な画像変換処理を行った後に、記録紙へ印字する。この操作と同じ操作を、原稿Ｄ２、Ｄ３、Ｄ４のそれぞれについて、原稿枚数分、順番に繰り返し、コピーを終了する。
【００１０】
また、読み取り原稿の種別を判別するために、ヒストグラムを作成し、文字、文字写真混在、写真等を判別し、最適な画像処理を施す例が知られている（たとえば、特許文献２参照）。
【００１１】
また、インクジェット等の複数のインク滴を飛ばして記録する記録装置は、記録紙種別に応じた画像処理のプロファイルを持ち、記録紙種別に応じて、最適な画像処理を行っている。
【特許文献１】特開２００３−２１９０８５号公報
【特許文献２】特開２００２−２１８２３２号公報
【発明の開示】
【発明が解決しようとする課題】
【００１２】
上記従来のマルチクロップコピーでは、互いに異なる原稿サイズを等倍コピーする場合、写真の周りに余白ができ、また、写真の一部が切り取られるので、ユーザの意図する写真ができず、インクや記録紙が無駄になるという問題がある。
【００１３】
また、上記従来例では、原稿サイズと記録紙サイズとが異なる場合に、操作者に注意を促し、記録紙を交換させ、作業を継続させる場合がある。たとえば、図５に示すような写真原稿の置き方をし、しかも、原稿Ｄ１、Ｄ２、Ｄ３、Ｄ４の順に原稿を読み取る場合、ＭＦＰにセットされている記録紙がＬ判であれば、原稿Ｄ１が葉書であるので、ユーザに、記録紙を葉書に交換する要求をし、次に、原稿Ｄ２がＬ判であるので、記録紙の交換を再び要求し、次に、原稿Ｄ３が葉書であるので、記録紙の交換の要求が３回目であり、原稿Ｄ４がＬ判であるので、記録紙の交換の要求を４回目に実行する。
【００１４】
したがって、マルチクロップコピーする場合、記録紙サイズが異なると、ユーザにとって大変使いにくいという問題がある。
【００１５】
また、原稿種別と記録紙種別とが一致していない場合、たとえば、単なる文字情報しかない原稿に、光沢紙のような高価なメディア用のプロファイルを用いて印刷する場合があり、写真原稿であるのに、普通紙等の画質を落としたプロファイルで印刷すると、見にくくなる等、ユーザにとって使い勝手が悪いという問題がある。
【００１６】
本発明は、マルチクロップコピーする場合、異なるサイズや異なる種別の原稿が混載されていても、制御や装置を複雑にせずに、ユーザにとって使い勝手のよい画像処理装置、画像処理装置の制御方法およびプログラムを提供することを目的とするものである。
【課題を解決するための手段】
【００１７】
本発明は、原稿台上の複数の画像を切り出す切出手段と、上記切出手段によって切り出された複数の原稿を画像データとして記録する記録手段とを有する画像処理装置において、上記原稿台上の原稿に関する情報である原稿情報を検出する原稿情報検出手段と、上記記録手段で使用する記録紙に関する情報である記録紙情報を検出する記録紙情報手段と、上記原稿情報と上記記録紙情報とに応じて、上記原稿台上の原稿の読み取り順序を制御する読取順序制御手段とを有することを特徴とする画像処理装置。
【発明の効果】
【００１８】
本発明によれば、複数の原稿サイズのマルチクロップコピー時に、原稿サイズと記録紙サイズとが同じものをまとめてコピーするので、マルチクロップコピーする場合、異なるサイズや異なる種別の原稿が混載されていても、制御や装置を複雑にせずに、ユーザにとって使い勝手がよいという効果を奏する。
【００１９】
また、本発明によれば、原稿サイズに合った記録紙サイズへ印刷するので、インクや記録紙が無駄にならず、ユーザの意図したコピーを実行することができるという効果を奏する。
【発明を実施するための最良の形態】
【００２０】
発明を実施するための最良の形態は、次の実施例である。
【実施例１】
【００２１】
図１は、本発明の実施例１であるＭＦＰ装置１００の構成を示すブロック図である。
【００２２】
ＭＦＰ装置１００は、マルチクロップコピーが可能である画像処理装置であり、ＣＰＵ１０１と、ＲＯＭ１０２と、ＲＡＭ１０３と、画像メモリ１０４と、データ変換部１０５と、読取制御部１０６と、読取部１０７と、操作パネル制御部１０８と、操作パネル部１０９と、通信制御部１１０と、解像度変換処理部１１１と、符号復号化処理部１１２と、記録制御部１１３と、記録部１１４と、ＵＳＢファンクション制御部１１５と、ＵＳＢホスト制御部１１６と、メモリカードスロット１１７と、メモリカード制御部１１８とを有する。
【００２３】
ＣＰＵ１０１は、システム制御部であり、ＭＦＰ装置１００の全体を制御する。
【００２４】
ＲＯＭ１０２は、ＣＰＵ１０１が実行する制御プログラムや、組み込みオペレーティングシステム（ＯＳ）プログラム等を格納する。ＲＯＭ１０２に格納されている各制御プログラムは、ＲＯＭ１０２に格納されている組み込みＯＳの管理下で、スケジューリングやタスクスイッチ等のソフトウエア制御を行う。
【００２５】
ＲＡＭ１０３は、ＳＲＡＭ（ｓｔａｔｉｃ  ＲＡＭ）等で構成され、プログラム制御変数等を格納し、また、オペレータが登録した設定値やＭＦＰ装置１００の管理データ等を格納し、各種ワーク用バッファ領域を有する。また、ＲＡＭ１０３は、原稿情報管理エリア３０１と、記録紙情報管理エリア３０２とを有する。
【００２６】
画像メモリ１０４は、ＤＲＡＭ（ｄｙｎａｍｉｃ  ＲＡＭ）等で構成され、画像データを蓄積する。データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データを変換する。
【００２７】
読取部１０７は、ＣＣＤやＣＩＳ等によって構成され、原稿を光学的に読み取り、電気的な画像データに変換し、出力する。読取制御部１０６は、読取部１０７が出力した画像信号を、図示しない画像処理制御部を介して、２値化処理や中間調処理等の各種画像処理を施し、高精細な画像データを出力し、原稿台にある原稿をスキャンするブック読取制御方式に対応している。
【００２８】
操作パネル制御部１０８は、オペレータによる各種入力操作の表示や、ＭＦＰ装置１００の動作状況、エラー等のステータス状況の表示や、画像メモリ１０４に蓄積された画像データの表示等を行い、画像送信相手先データの決定や設定データの登録動作を行う。
【００２９】
操作パネル部１０９は、数値入力キー、文字入力キー、ワンタッチ電話番号キー、モード設定キー、決定キー、取り消しキー等を備え、ＬＥＤ（発光ダイオード）とＬＣＤ（液晶ディスプレイ）等によって構成される。
【００３０】
通信制御部１１０は、ＭＯＤＥＭ（変復調装置）や、ＮＣＵ（網制御装置）等によって構成され、アナログの通信回線（ＰＳＴＮ）１３１に接続され、Ｔ３０プロトコルでの通信制御、通信回線に対する発呼、着呼等の回線制御を行う。
【００３１】
解像度変換処理部１１１は、画像データのミリ−インチ解像度変換等の解像度変換制御を行い、画像データの拡大縮小処理も可能である。符号復号化処理部１１２は、ＭＦＰ装置１００で扱う画像データ（ＭＨ、ＭＲ、ＭＭＲ、ＪＢＩＧ、ＪＰＥＧ等）を符号復号化処理し、拡大縮小処理を行う。
【００３２】
記録制御部１１３は、印刷される画像データを、図示しない画像処理制御部を介して、スムージング処理や記録濃度補正処理、色補正等の各種画像処理を施し、印刷用の画像データに変換し、画像メモリ１０４に蓄積する。また、定期的に、記録部１１４の状態情報データを取得する。
【００３３】
記録部１１４は、インクジェットプリンタ等によって構成されている印刷装置であり、記録制御部１１３で変換され、画像メモリ１０４に蓄積されている印刷用の画像データを取り出し、カラー画像データ、またはモノクロ画像データを記録紙に印刷する。
【００３４】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行い、逆に、外部の情報処理端末からのＵＳＢパケットを、データに変換し、ＣＰＵ１０１に送信する。パーソナルコンピュータ（以下、「ＰＣ」という）１３２に接続され、ＰＣ上からメモリカードへアクセスし、ＰＣ上の画像データを印刷する。
【００３５】
ＵＳＢホスト制御部１１６は、ＵＳＢ通信規格で定められているプロトコルで通信するための制御部である。ＵＳＢ通信規格は、双方向のデータ通信を高速に実行することができる規格であり、１台のホスト（マスター）に、複数のハブまたはファンクション（スレーブ）を接続することができる。ＵＳＢホスト制御部１１６は、ＵＳＢ通信におけるホストの機能を有する。
【００３６】
メモリカードスロット１１７は、ＵＳＢインタフェースを介して、ＵＳＢホスト制御部１１６に接続され、着脱可能なメモリカードが装着される。
【００３７】
メモリカード制御部１１８は、メモリカードスロット１１７に装着されているメモリカードに格納されているデータファイルにアクセスし、読み出すことができる。
【００３８】
つまり、読取部１０７と読取制御部１０６とは、読取装置上の原稿に関する情報である原稿情報を検出する原稿情報検出手段の例である。画像メモリ１０４は、原稿情報を記憶する原稿情報記憶手段の例である。記録制御部１１３は、上記画像処理装置にセットされている記録紙に関する情報である記録紙情報を検出する記録紙情報手段の例である。
【００３９】
ＲＡＭ１０３は、記録紙情報を記憶する記録紙情報記憶手段の例である。ＲＯＭ１０２とＣＰＵ１０１とは、記録紙情報に応じて、上記読取装置上の原稿の読み取り順序を制御する読取順序制御手段の例である。
【００４０】
また、実施例１は、上記原稿情報が、原稿位置と原稿サイズとであり、上記記録紙情報が、記録紙サイズである場合、上記検出された記録紙サイズと等しい原稿サイズの原稿をまとめてコピーする実施例である。
【００４１】
さらに、実施例１は、上記原稿情報が、原稿位置と原稿種別とであり、上記記録紙情報が、記録紙種別である場合、上記検出された記録紙種別に応じた原稿種別の原稿をコピーする実施例である。
【００４２】
そして、実施例１は、上記原稿情報が、原稿位置と原稿サイズと原稿種別とであり、上記記録紙情報が、記録紙サイズと記録紙種別とである場合、上記検出された記録紙サイズと等しい原稿サイズであり、かつ、上記記録紙種別に応じた原稿種別の原稿をコピーする実施例である。
【００４３】
次に、ＭＦＰ装置１００の動作について説明する。
【００４４】
図２は、ＭＦＰ装置１００におけるマルチクロップコピー制御動作を示すフローチャートである。
【００４５】
まず、不図示のＡＣ電源が投入されると、ＣＰＵ１０１がＲＯＭ１０２のプログラムに従い、ＲＡＭ１０３等に各種初期設定を行う。
【００４６】
次に、操作者が、操作パネル部１０９を介して、電源オンを指示すると、各種メカ機構等の初期化動作を行い、初期化動作が終了すると、操作パネル部１０９上のＬＥＤが点灯し、読み取り動作と印字動作とが可能になる。
【００４７】
Ｓ１０で、操作者は、読取部１０７の原稿台上に、図５に示すように、原稿サイズの異なった写真原稿Ｄ１〜Ｄ４を並べたとする。もちろん、原稿台に並べることができる限り、もっと多くの原稿を並べるようにしてもよい。実施例１では、原稿の枚数、サイズ、並べる順番、並べる方向、傾き等を意識することなく、原稿台に自由に配置することができる。
【００４８】
次に、Ｓ１１で、操作者は、操作パネル部１０９を介して、マルチクロップコピー（等倍）を指示する。ここで、マルチクロップコピーにおける自動変倍等の指定も考えられるが、通常写真をコピー（焼き増し）する場合、人にあげるためにコピーする場合が多く、変倍すると、写真の雰囲気が変わるので、操作者の意図しない写真を人にあげることになり、したがって、写真原稿を含んでマルチクロップコピーする場合、等倍を指示する。
【００４９】
次に、Ｓ１２では、原稿の位置やサイズ等を検出するために、読取部１０７、読取制御部１０８に、プレスキャンさせる。
【００５０】
図３は、実施例１におけるＲＡＭ１０３上の原稿情報管理エリア３０１に格納されている内容例を示す模式図である。
【００５１】
原稿情報管理エリア３０１は、「原稿の番号」と、「原稿位置」と、「原稿サイズ」と、「原稿種別」と、「コピー実行結果」とを格納する領域を有する。
【００５２】
上記プレスキャン後に、エッジ検出等の公知の検出手段によって、「原稿位置」と「原稿サイズ」と「原稿種別」とを、図３に示すように、ＲＡＭ１０３上の原稿情報管理エリア３０１へ記憶する。また、ヒストグラム等を用いて、「原稿種別」等を検出し、原稿情報管理エリア３０１へ記憶する。
【００５３】
次に、Ｓ１３で、原稿情報管理エリア３０１を検索し、原稿があるかどうかを判断し、原稿がなければ、Ｓ１４へ進み、原稿があれば、Ｓ１５を実行する。この判断を行うことによって、原稿がなかった場合におけるごみデータ印刷を防止することができる。
【００５４】
Ｓ１４では、原稿が検出できなかった場合に、その旨を、操作パネル部１０９で表示し、操作者が、原稿を読取部１０７へセットし、コピーの再実行を、操作パネル部１０９を介して指示した後に、Ｓ１２へ戻る。
【００５５】
Ｓ１５では、原稿情報管理エリア３０１における「コピー実行結果」を検索し、全ての原稿のコピーが終了したかどうか（全てが「済み」になったかどうか）を判断し、終了していれば、操作パネル部１０９に待機メニューを表示させ、マルチクロップコピー処理を終了する。全部の原稿のコピーが終了していなければ、Ｓ１６に進む。
【００５６】
図４は、実施例１におけるＤＲＡＭ上の記録紙情報管理エリア３０２に格納されている内容例を示す模式図である。
【００５７】
記録紙情報管理エリア３０２は、「紙種」（記録紙種類）と、「記録紙サイズ」とを格納する領域を有する。
【００５８】
次に、Ｓ１６では、原稿情報管理エリア３０１に格納されている「コピー実行結果」が「未」である原稿について、ＲＡＭ１０３上の記録紙情報管理エリア３０２の記録紙サイズ４０２と同じ原稿サイズを検索し、該当する原稿がなければ、Ｓ１７へ進み、同じサイズの原稿があれば、Ｓ１８を実行する。
【００５９】
ところで、従来例のように、原稿の読み取り順序が固定されていれば、他に記録紙サイズと同じサイズの原稿があったとしても、次に読み取られる原稿サイズと記録紙サイズとが異なる場合、その都度、記録紙の交換を要求されるので、操作性を著しく損なう。
【００６０】
実施例１では、上記のように、記録紙サイズと等しい原稿サイズの有無を判断する（Ｓ１６）ことによって、記録紙サイズに応じた原稿から読み取りする（記録紙サイズと同じサイズの原稿を読み取る）ので、操作性が向上する。
【００６１】
Ｓ１７では、記録紙サイズと同じサイズの原稿がないか、または原稿種別に適した記録紙種別がない場合、原稿サイズと同じサイズの記録紙に交換するか、または原稿種別に適した記録紙種別に交換することを、操作パネル部１０９に表示し、操作者が、記録紙を交換し、記録紙情報管理エリア３０２の記録紙サイズ４０２または記録紙種別４０１を変更した後に、操作者が再実行を指示することを待ち、この指示がなされると、Ｓ１６へ戻り、処理を継続する。
【００６２】
次に、Ｓ１８では、記録紙サイズと原稿サイズとが同じであり、しかも、記録紙情報管理エリア３０２の記録紙種別４０１に適した原稿種別を検索し、該当する原稿がなければ、Ｓ１７へ進み、適した原稿があれば、Ｓ１９を実行する。
【００６３】
ところで、従来例のように、原稿種別に関係なく記録紙種別に応じた画像処理を実行すると、高価な記録紙に文字原稿等を印字するか、または、普通紙のような画像品位の低い記録紙に、写真原稿を印字するので、ユーザにとって不親切である。
【００６４】
実施例１では、上記のように、記録紙種別に適した原稿種別が有るかどうかを判断する（Ｓ１８）ことによって、原稿に応じた適切な記録紙に印刷するので、ユーザの利便性が向上する。
【００６５】
Ｓ１９では、Ｓ１７で検索した原稿情報管理エリア３０１の原稿に対応した原稿位置から原稿サイズ分の本スキャンを実行し、ＪＰＧ等の画像ファイルとして画像メモリ１０４へ蓄積する。もちろん、ＪＰＧファイルに限らず、ＴｉＦＦやビットマップファイルの画像ファイルとして画像メモリ１０４へ蓄積するようにしてもよく、また、画像データとして画像メモリへ直接記憶するようにしてもよい。
【００６６】
次に、Ｓ２０では、Ｓ１９で蓄積された画像ファイルを、記録紙情報管理エリア３０２の「紙種」４０１に応じたスムージング処理や記録濃度補正処理、色補正等の各種画像処理を施した後に、印刷用の画像データへ変換し、記録部１１４が記録紙に印刷する。印刷が終了した後に、原稿情報管理エリア３０１の「コピー実行結果」を、「未」から「済み」へ変更する。そして、Ｓ１５へ戻る。
【００６７】
実施例１によれば、複数の原稿サイズ、原稿種別のマルチクロップコピーにおいて、原稿サイズと記録紙サイズとが同じ場合、記録紙種別に応じた原稿種別のものからコピーする（記録紙種別に応じた原稿種別の原稿をまとめてコピーする）ので、複雑な制御や装置構成にすることなく、ユーザの操作性が向上し、また、インクや記録紙が無駄にならないので、ユーザの意図したコピーを実行することができる。
【００６８】
また、本発明は、上記実施例の機能を実現するソフトウエアのプログラムコードを記録した記憶媒体（または記録媒体）を、システムまたは装置に供給し、そのシステムまたは装置のコンピュータ（またはＣＰＵやＭＰＵ）が、記憶媒体に格納されたプログラムコードを読み出し、実行することによっても、達成される。
【００６９】
この場合、上記記憶媒体から読み出されたプログラムコード自体が、上記実施例の機能を実現し、そのプログラムコードを記憶した記憶媒体は、本発明を構成する。
【００７０】
つまり、上記実施例は、マルチクロップコピーが可能である画像処理装置の制御プログラムにおいて、読取装置上の原稿に関する情報である原稿情報を検出する原稿情報検出手順と、上記原稿情報を記憶する原稿情報記憶手順と、上記画像処理装置にセットされている記録紙に関する情報である記録紙情報を検出する記録紙情報手順と、上記記録紙情報を記憶する記録紙情報記憶手順と、上記記録紙情報に応じて、上記読取装置上の原稿の読み取り順序を制御する読取順序制御手順とを画像処理装置に実行させるプログラムの例である。
【００７１】
また、コンピュータが読み出したプログラムコードを実行することによって、上記実施例の機能が実現されるだけでなく、そのプログラムコードの指示に基づいて、コンピュータ上で稼働しているオペレーティングシステム（ＯＳ）等が、実際の処理の一部または全部を行い、その処理によって、上記実施例の機能が実現される場合も含まれる。
【００７２】
さらに、記憶媒体から読み出されたプログラムコードが、コンピュータに挿入された機能拡張カードやコンピュータに接続された機能拡張ユニットに備わるメモリに書込まれた後に、そのプログラムコードの指示に基づいて、その機能拡張カードや機能拡張ユニットに備わるＣＰＵ等が実際の処理の一部または全部を行い、その処理によって、上記実施例の機能が実現される場合も含まれる。
【００７３】
また、上記プログラムを、ＣＤ、ＤＶＤ、ＨＤ、半導体メモリ等の記憶媒体に記憶するようにしてもよい。
【００７４】
さらに、コンピュータ等の情報処理機器と単機能の読取装置と単機能のインクジェット式画像記録装置とを組合せた複写装置に、上記実施例を適用するようにしてもよい。
【図面の簡単な説明】
【００７５】
【図１】本発明の実施例１であるＭＦＰ装置１００の構成を示すブロック図である。
【図２】ＭＦＰ装置１００におけるマルチクロップコピー制御動作を示すフローチャートである。
【図３】実施例１におけるＲＡＭ１０３上の原稿情報管理エリア３０１に格納されている内容例を示す模式図である。
【図４】実施例１におけるＤＲＡＭ上の記録紙情報管理エリア３０２に格納されている内容例を示す模式図である。
【図５】画像読取装置におけるフラットペットスキャナ上に配置されている原稿の例を示す模式図である。
【符号の説明】
【００７６】
１００…ＭＦＰ装置、
１０１…ＣＰＵ、
１０２…ＲＯＭ、
１０３…ＲＡＭ、
１０４…画像メモリ、
１０６…読取制御部、
１０７…読取部、
１０９…操作パネル部、
１１３…記録制御部、
１１４…記録部。
【図１】
2007013378.tif 000003
【図２】
2007013378.tif 000004
【図３】
2007013378.tif 000005
【図４】
2007013378.tif 000006
【図５】
2007013378.tif 000007